(57)【特許請求の範囲】
【請求項１】
商品を収納する複数のコラムの中に、決められた温度を超えると提供が禁止される特定商品を収納するコラムを少なくとも一つ有し、販売指令が与えられた場合に該当するコラムより商品を払い出して販売する自動販売機の制御装置において、
前記特定商品の提供が禁止された場合に、特定商品の提供禁止を解除する旨の解除指令が与えられ、かつ該特定商品を収納するコラムの商品残数が零でないときは前記特定商品の提供禁止を維持する一方、特定商品の提供禁止を解除する旨の解除指令が与えられ、かつ該特定商品を収納するコラムの商品残数が零となるときにだけ前記特定商品の提供禁止を解除する制御手段を備えたことを特徴とする自動販売機の制御装置。
【請求項２】
前記コラム毎に設けられ、かつ該当するコラムの商品の売り切れを検出する売切検出手段を備えてなり、
前記制御手段は、前記特定商品の提供が禁止された場合において、特定商品の提供禁止を解除する旨の解除指令が与えられ、かつ該特定商品を収納するコラムの売切検出手段が売り切れを検出しないときは前記特定商品の提供禁止を維持する一方、特定商品の提供禁止を解除する旨の解除指令が与えられ、かつ該特定商品を収納するコラムの売切検出手段が売り切れを検出したときにだけ前記特定商品の提供禁止を解除することを特徴とする請求項１に記載の自動販売機の制御装置。
【発明の詳細な説明】
【技術分野】
【０００１】
本発明は、自動販売機の制御装置に関し、より詳細には、商品を収納する複数のコラムの中に、決められた温度を超えると提供が禁止される特定商品を収納するコラムを少なくとも一つ有し、販売指令が与えられた場合に該当するコラムより商品を払い出して販売する自動販売機の制御装置に関するものである。
【背景技術】
【０００２】
従来、缶入り飲料やパック入り飲料等の各種商品を複数のコラムにそれぞれ収納しておき、購買者が所望の商品に割り当てられた選択ボタンを押圧操作すると、該当する商品をコラムから払い出して商品取出口より取り出し可能な状態にする自動販売機が知られている。
【０００３】
このような自動販売機においては、例えば乳製品等のように高温になる腐敗してしまう商品、すなわち決められた温度を超えると提供が禁止される特定商品（以下、ヘルスコード対象商品とも称する）を販売対象とするものがあり、かかるヘルスコード対象商品を所定のコラムに収納している。
【０００４】
ヘルスコード対象商品を販売対象とする自動販売機では、ヘルスコード対象商品を収納するコラムが設けられた商品収容庫の庫内温度が、予め設定された設定温度を超え続けると、販売禁止にしている（例えば、特許文献１参照）。
【先行技術文献】
【特許文献】
【０００５】
【特許文献１】特開平３−２１１６９６号公報
【発明の概要】
【発明が解決しようとする課題】
【０００６】
上述した特許文献１には明示されてはいないが、ヘルスコード対象商品が販売禁止となった場合には、その販売禁止を解除するための解除ボタンが設けられているのが一般的である。この解除ボタンが押下操作されることにより解除指令が与えられ、これによりヘルスコード対象商品の販売禁止が解除される。
【０００７】
しかしながら、このように解除ボタンの押下操作のみでヘルスコード対象商品の販売禁止を解除してしまうと、作業者がヘルスコード対象商品を取り忘れた場合、作業者が誤って解除ボタンを押下操作した場合、解除ボタンの故障等により解除ボタンが押された状態になっている場合等、本来販売禁止とすべきヘルスコード対象商品を誤って販売してしまう虞れがあった。
【０００８】
本発明は、上記実情に鑑みて、決められた温度を超えると提供が禁止される特定商品が販売禁止となった場合に、かかる特定商品を販売してしまうことを防止する自動販売機の制御装置を提供することを目的とする。
【課題を解決するための手段】
【０００９】
上記目的を達成するために、本発明に係る自動販売機の制御装置は、商品を収納する複数のコラムの中に、決められた温度を超えると提供が禁止される特定商品を収納するコラムを少なくとも一つ有し、販売指令が与えられた場合に該当するコラムより商品を払い出して販売する自動販売機の制御装置に、前記特定商品の提供が禁止された場合において、特定商品の提供禁止を解除する旨の解除指令が与えられ、かつ該特定商品を収納するコラムの商品残数が零でないときは前記特定商品の提供禁止を維持する一方、特定商品の提供禁止を解除する旨の解除指令が与えられ、かつ該特定商品を収納するコラムの商品残数が零となるときにだけ前記特定商品の提供禁止を解除する制御手段を備えたことを特徴とする。
【００１０】
また本発明は、上記自動販売機の制御装置において、前記コラム毎に設けられ、かつ該当するコラムの商品の売り切れを検出する売切検出手段を備えてなり、前記制御手段は、前記特定商品の提供が禁止された場合において、特定商品の提供禁止を解除する旨の解除指令が与えられ、かつ該特定商品を収納するコラムの売切検出手段が売り切れを検出しないときは前記特定商品の提供禁止を維持する一方、特定商品の提供禁止を解除する旨の解除指令が与えられ、かつ該特定商品を収納するコラムの売切検出手段が売り切れを検出したときにだけ前記特定商品の提供禁止を解除することを特徴とする。
【発明の効果】
【００１１】
本発明の自動販売機の制御装置によれば、特定商品の提供が禁止された場合に、制御手段が、その提供禁止を解除する旨の解除指令が与えられ、かつ該特定商品を収納するコラムの商品残数が零となるときにだけ特定商品の提供禁止を解除するので、オペレータが特定商品を取り忘れた場合等において当該特定商品を誤って販売してしまう虞れがない。従って、決められた温度を超えると提供が禁止される特定商品が販売禁止となった場合に、かかる特定商品を販売してしまうことを防止することができるという効果を奏する。
【図面の簡単な説明】
【００１２】
【図１】図１は、本発明の実施の形態１である制御装置が適用された自動販売機を示す正面図である。
【図２】図２は、本発明の実施の形態１である制御装置が適用された自動販売機を示す断面側面図である。
【図３】図３は、本発明の実施の形態１である制御装置が適用された自動販売機の主な制御系を示すブロック図である。
【図４】図４は、制御手段が実施するヘルスコード管理制御処理の処理内容を示すフローチャートである。
【図５】図５は、本発明の実施の形態２である制御装置が適用された自動販売機を示す正面図である。
【図６】図６は、本発明の実施の形態２である制御装置が適用された自動販売機を示す断面側面図である。
【図７】図７は、本発明の実施の形態２である制御装置が適用された自動販売機の主な制御系を示すブロック図である。
【図８】図８は、制御手段が実施するヘルスコード管理制御処理の処理内容を示すフローチャートである。
【発明を実施するための形態】
【００１３】
以下に添付図面を参照して、本発明に係る自動販売機の制御装置の好適な実施の形態について詳細に説明する。
【００１４】
＜実施の形態１＞
図１〜図３は、それぞれ本発明の実施の形態１である制御装置が適用された自動販売機を示すものであり、図１は正面図、図２は断面側面図、図３は主な制御系を示すブロック図である。ここで例示する自動販売機は、缶入り飲料やペットボトル入り飲料等の容器入り飲料を商品として販売するものである。
【００１５】
この自動販売機の本体キャビネット１には、複数の商品収容庫２が設けてある。商品収容庫２は、それぞれ断熱構造を有しており、内部雰囲気を所望の温度状態に維持することができる。各商品収容庫２には、複数の商品収納ラック３が設けてあり、これら商品収納ラック３にコラムが設定してある。コラムは、同一種類の商品が収容される収容単位であり、販売する商品に応じて１、若しくは複数の商品収納ラック３が対応している。商品収納ラック３は、上下方向に沿って蛇行する商品収納通路４を有しており、かかる商品収納通路４に商品が収納されるサーペンタイン式のものである。これら商品収納ラック３には、それぞれの下方部に商品の搬出制御を行うためのベンドメック５が設けてあるとともに、個々のベンドメック５に商品の売り切れを検出する売切センサ（売切検出手段）６が設けてある。
【００１６】
そして、これら複数のコラムには、例えば乳製品のように決められた温度を超えると提供が禁止される特定商品（ヘルスコード対象商品）を収納するコラムが少なくとも一つ含まれている。
【００１７】
上記自動販売機には、コラムに対応した商品選択ボタン７及び売切ランプ８が設けてあるとともに、貨幣処理装置９、一体表示器１０、冷却ユニット１１及び庫内温度センサ１２が設けてある。
【００１８】
商品選択ボタン７は、利用者が購入商品を選択するためのものである。このような商品選択ボタン７は、本体キャビネット１の前面開口を開閉する外扉１３の前面に、商品見本１４とともに配設してある。個々の商品選択ボタン７は、利用者によって押圧操作された場合にそれぞれの出力信号を後述の制御手段２０に対して出力する。
【００１９】
売切ランプ８は、利用者に対して商品が販売可能であるか否かを表示するためのもので、個々の商品選択ボタン７に内蔵されている。
【００２０】
貨幣処理装置９は、コインメカニズムやビルバリデータと称されるものであり、利用者によって、外扉１３の前面に設けられた硬貨投入口１５若しくは紙幣挿通口１６を通じて貨幣（硬貨若しくは紙幣）が投入された場合にこれを鑑別し、その鑑別結果を制御手段２０に出力するものである。一体表示器１０は、投入金額や釣銭金額等、商品を購入する場合に必要となるデータを表示するためのもので、例えば液晶表示器によって構成してある。
【００２１】
冷却ユニット１１は、圧縮機１１ａ及び電磁弁（図示せず）等により構成されるものである。圧縮機１１ａは、凝縮器１１ｂ、膨張機構１１ｃ及び蒸発器１１ｄとともに冷媒を循環させる冷媒回路を構成しており、蒸発器１１ｄで蒸発した冷媒を吸引して圧縮するものである。凝縮器１１ｂは、圧縮機１１ａから吐出された冷媒を周囲空気で冷却することにより凝縮させるものである。膨張機構１１ｃは、凝縮器１１ｂで凝縮した冷媒を減圧して断熱膨張させるものである。蒸発器１１ｄは、各商品収容庫２の内部に配設してあり、通過する冷媒が蒸発することにより自身が配設された商品収容庫２の内部空気を冷却するものである。
【００２２】
電磁弁は、上記冷媒回路における各蒸発器１１ｄの上流側に配設してある。電磁弁は、開閉可能な弁体であり、閉指令が与えられることにより閉成して自身の下流側の蒸発器１１ｄに冷媒が流れることを規制する一方、開指令が与えられることにより開成して該蒸発器１１ｄに冷媒が流れることを許容するものである。
【００２３】
庫内温度センサ１２は、本体キャビネット１における各商品収容庫２の内部に配設してあり、商品収容庫２の庫内温度（内部温度）を検出するものである。この庫内温度センサ１２は、庫内温度を検出した場合、その庫内温度を検出信号として制御手段２０に出力するものである。
【００２４】
また、上記自動販売機には、入力手段１７が設けられている。入力手段１７は、例えばリモコン等のようなものであり、商品収納ラック３に対するコラムの設定や、コラムと商品選択ボタン７との対応付け、販売価格の設定等、商品の販売に関わる各種設定や確認を行うためのもので、各種機能キーやテンキー等が設けてある。
【００２５】
このような入力手段１７は、各種機能キーやテンキー等が操作された場合には、その出力信号が制御手段２０に出力される。特に本実施の形態１では、解除ボタン１７ａが設けてある。解除ボタン１７ａは、押下操作されることにより制御手段２０に解除信号を出力することで、該制御手段２０に解除指令を与えるものである。
【００２６】
かかる入力手段１７は、自動販売機の管理者やルート作業者と称されるオペレータが操作するものであり、施錠された外扉１３を解錠して開放した場合にのみ操作することが可能である。
【００２７】
自動販売機の制御手段２０は、図３に示すように、売切センサ６、貨幣処理装置９、商品選択ボタン７、庫内温度センサ１２、入力手段１７から出力された信号が与えられた場合、予めメモリ２１に格納してあるプログラムやデータに従って商品収納ラック３のベンドメック５、売切ランプ８、一体表示器１０、冷却ユニット１１等の動作を制御するもので、入力制御部２０ａ、出力制御部２０ｂ、販売管理制御部２０ｃ及びヘルスコード管理制御部２０ｄを有している。
【００２８】
入力制御部２０ａは、自動販売機を構成する各部から出力された信号を入力処理するものである。出力制御部２０ｂは、自動販売機を構成する各部に対して指令を出力処理するものである。
【００２９】
販売管理制御部２０ｃは、商品の販売に関わる処理を統括的に制御するものである。より詳細には、入力手段１７の操作により商品収納ラック３に対してコラムが設定され、更にコラムに対して商品選択ボタン７及び販売価格が対応付けられた場合に、販売管理制御部２０ｃによってコラムの番号と商品収納ラック３と商品選択ボタン７と販売価格とが互いに対応付けられてメモリ２１に格納されることになる。
【００３０】
また、販売管理制御部２０ｃは、貨幣処理装置９に貨幣が投入された場合、投入貨幣が販売価格以上となった時点で該当する商品選択ボタン７を有効化する。有効化した商品選択ボタン７が押圧操作された場合、販売管理制御部２０ｃは、対応するコラムの商品収納ラック３に設けられたベンドメック５を動作させて商品を一つ払い出す動作を行う。
【００３１】
更に、販売管理制御部２０ｃは、売切センサ６を通じて商品収納ラック３の商品を監視し、商品無しを検出した場合、対応するコラムの売切ランプ８を点灯して売切状態であることを報知する処理を行う。
【００３２】
ヘルスコード管理制御部２０ｄは、ヘルスコード対象商品についての販売に関わる処理を制御するものである。より詳細には、ヘルスコード対象商品を収納するコラムが設けられた商品収容庫２の庫内温度が管理上限温度を超える連続時間が設定時間を経過する場合に、ヘルスコート管理制御部は、ヘルスコード対象商品が決められた温度を超えているものとして当該ヘルスコード対象商品の販売を禁止するものである。ここで管理上限温度や設定時間は、ヘルスコード対象商品の特性に応じて予め決められている。
【００３３】
また、ヘルスコード管理制御部２０ｄは、入力手段１７の解除ボタン１７ａが押下操作されることで解除指令が与えられ、かつ販売禁止にしたヘルスコード対象商品を収納するコラムの商品収納ラック３の売切検出センサが該ヘルスコード対象商品の売り切れを検出した場合に、該ヘルスコード対象商品の販売禁止を解除するものである。
【００３４】
図４は、上述した制御手段２０が実施するヘルスコード管理制御処理の処理内容を示すフローチャートである。このヘルスコード管理制御処理の処理内容を説明しながら、本実施の形態１である自動販売機の制御装置の動作について説明する。
【００３５】
制御手段２０は、ヘルスコード対象商品を販売禁止にしていない状態でヘルスコード対象商品が販売禁止条件に合致した場合（ステップＳ１０１：Ｎｏ，ステップＳ１０２：Ｙｅｓ）、ヘルスコード管理制御部２０ｄを通じて該当するヘルスコード対象商品の販売を禁止にする（ステップＳ１０３）。ここで、ヘルスコード対象商品が販売禁止条件に合致する場合としては、ヘルスコード対象商品を収納するコラムが設けられた商品収容庫２の庫内温度、すなわち入力制御部２０ａを通じて入力処理された当該商品収容庫２の庫内温度センサ１２の検知温度が管理上限温度を超えており、その管理上限温度を超える連続時間が設定時間を経過するときが該当する。このようにヘルスコード対象商品を販売禁止にした場合には、通常、オペレータにより当該ヘルスコード対象商品が取り出されることになる。
【００３６】
ヘルスコード対象商品を販売禁止にした制御手段２０は、入力手段１７の解除ボタン１７ａが押下操作されることで入力制御部２０ａを通じて解除指令が入力処理される場合（ステップＳ１０４：Ｙｅｓ）、販売禁止状態を維持しながら該当するコラムの商品収納ラック３に設けられた売切センサ６による売切検出待ちとなる（ステップＳ１０５）。
【００３７】
その後、入力制御部２０ａを通じて所定の売切センサ６から与えられた売切信号を入力処理することでヘルスコード対象商品の売り切れが検出された場合（ステップＳ１０６：Ｙｅｓ）、制御手段２０は、ヘルスコード管理制御部２０ｄを通じて当該ヘルスコード対象商品の販売禁止を解除し（ステップＳ１０７）、その後に手順をリターンさせて今回の処理を終了する。
【００３８】
これにより、当該コラムに相当する商品収納ラック３に、新たなヘルスコード対象商品や通常商品を収納させることができる。
【００３９】
以上説明したような本実施の形態１の制御装置においては、制御手段２０が、ヘルスコード対象商品の販売が禁止された場合に、その販売禁止を解除する旨の解除指令が与えられただけでは該ヘルスコード対象商品の販売禁止を解除しないで、該ヘルスコード対象商品を収納する商品収納ラック３（コラム）の売り切れが売切センサ６を通じて検出されたときにだけヘルスコード対象商品の販売禁止を解除するので、オペレータがヘルスコード対象商品を取り忘れた場合、オペレータが誤って解除ボタン１７ａを押下操作した場合、解除ボタン１７ａの故障等により解除ボタン１７ａが押された状態になっている場合等においてもヘルスコード対象商品を誤って販売してしまう虞れがない。従って、本発明の実施の形態１である制御装置によれば、決められた温度を超えると提供が禁止されるヘルスコード対象商品が販売禁止となった場合に、かかるヘルスコード対象商品を販売してしまうことを防止することができる。
【００４０】
＜実施の形態２＞
図５〜図７は、それぞれ本発明の実施の形態２である制御装置が適用された自動販売機を示すものであり、図５は正面図、図６は断面側面図、図７は主な制御系を示すブロック図である。ここで例示する自動販売機は、パック入り飲料、おにぎりやお弁当等の個装された食品を商品として販売するものである。
【００４１】
この自動販売機の本体キャビネット３１には、商品収容庫３２が設けてある。商品収容庫３２は、断熱構造を有しており、内部雰囲気を所望の温度状態に維持することができる。このような商品収容庫３２には、商品ラック３３及び商品搬送装置３４が設けてある。
【００４２】
商品ラック３３は、上下方向に沿って複数段設けてあり、複数の商品収納コラム３５を左右方向に沿って並設することによって構成したものである。個々の商品収納コラム３５は、同一種類の商品が収容される収容単位であり、スパイラル３６が設けてある。スパイラル３６は、前後方向に沿って螺旋状に巻回された態様で構成され、かつ中心軸回りに回転可能に配設されたものであり、各ピッチ間に商品が載置されている。このようなスパイラル３６は、後方側に配設されたスパイラル駆動部３７から駆動力が与えられることにより時計回り、あるいは反時計回りに回転し、かかる回転を行うにしたがって漸次前方側に延在するように形成した螺旋状の部材であり、前方側端部は開放端になっている。
【００４３】
複数の商品収納コラム３５には、例えば乳製品のように決められた温度を超えると提供が禁止される特定商品（ヘルスコード対象商品）を収納するコラムが少なくとも一つ含まれている。
【００４４】
商品搬送装置３４は、商品収容庫３２において商品ラック３３の前方域に設けてあり、バケット３８とバケット駆動部３９とを備えている。バケット３８は、左右方向が長手方向となるものであり、その左右幅は商品ラック３３の左右幅に略等しいものである。バケット駆動部３９は、後述する制御手段６０からの指令により駆動して、バケット３８を上下方向に沿って移動させるものである。
【００４５】
このような商品搬送装置３４は、バケット駆動部３９を駆動させることでバケット３８を所定の商品ラック３３の前方に位置させ、当該商品ラック３３のいずれかの商品収納コラム３５から払い出された商品を受容するものである。そして、バケット駆動部３９を駆動させることでバケット３８を下方に向けて移動させ、所定の下限位置に達するときにバケット３８を水平姿勢（図６中の鎖線参照）から傾斜姿勢に変化させて受容した商品を商品取出部４０に払い出すことで搬送するものである。このように商品取出部４０に搬送された商品は、外扉４１の商品取出口４２を通じて取り出し可能な状態となる。尚、かかる商品搬送装置３４では、バケット３８が所定の下限位置に達すると図示せぬ下限スイッチが作動してバケット駆動部３９への通電が遮断され、これによりバケット駆動部３９が駆動停止する。つまり上記下限位置がバケット３８の原点（待機位置）となる。
【００４６】
上記自動販売機には、商品収納コラム３５に対応した商品選択ボタン４３が設けてあるとともに、貨幣処理装置４４、一体表示器４５、冷却ユニット４６及び庫内温度センサ４７が設けてある。
【００４７】
商品選択ボタン４３は、利用者が購入商品を選択するためのものである。このような商品選択ボタン４３は、本体キャビネット３１の前面開口を開閉する外扉４１の前面に配設してある。個々の商品選択ボタン４３は、利用者によって押圧操作された場合にそれぞれの出力信号を制御手段６０に対して出力する。
【００４８】
貨幣処理装置４４は、コインメカニズムやビルバリデータと称されるものであり、利用者によって、外扉４１の前面に設けられた硬貨投入口４８若しくは紙幣挿通口４９を通じて貨幣（硬貨若しくは紙幣）が投入された場合にこれを鑑別し、その鑑別結果を制御手段６０に出力するものである。一体表示器４５は、投入金額や釣銭金額等、商品を購入する場合に必要となるデータを表示するためのもので、例えば液晶表示器によって構成してある。
【００４９】
冷却ユニット４６は、圧縮機４６ａ等により構成されるものである。圧縮機４６ａは、凝縮器４６ｂ、膨張機構（図示せず）及び蒸発器４６ｃとともに冷媒を循環させる冷媒回路を構成しており、蒸発器４６ｃで蒸発した冷媒を吸引して圧縮するものである。凝縮器４６ｂは、圧縮機４６ａから吐出された冷媒を周囲空気で冷却することにより凝縮させるものである。膨張機構は、凝縮器４６ｂで凝縮した冷媒を減圧して断熱膨張させるものである。蒸発器４６ｃは、商品収容庫３２の内部に配設してあり、通過する冷媒が蒸発することにより自身が配設された商品収容庫３２の内部空気を冷却するものである。
【００５０】
庫内温度センサ４７は、商品収容庫３２の内部に配設してあり、商品収容庫３２の庫内温度（内部温度）を検出するものである。この庫内温度センサ４７は、庫内温度を検出した場合、その庫内温度を検出信号として制御手段６０に出力するものである。
【００５１】
また、上記自動販売機には、入力手段５０が設けられている。入力手段５０は、例えばリモコン等のようなものであり、商品収納コラム３５と商品選択ボタン４３との対応付け、販売価格の設定等、商品の販売に関わる各種設定や確認を行うためのもので、各種機能キーやテンキー等が設けてある。
【００５２】
このような入力手段５０は、各種機能キーやテンキー等が操作された場合には、その出力信号が制御手段６０に出力される。特に本実施の形態２では、解除ボタン５０ａが設けてある。解除ボタン５０ａは、押下操作されることにより制御手段６０に解除信号を出力することで、該制御手段６０に解除指令を与えるものである。
【００５３】
かかる入力手段５０は、自動販売機の管理者やルート作業者と称されるオペレータが操作するものであり、施錠された外扉４１を解錠して開放した場合にのみ操作することが可能である。
【００５４】
自動販売機の制御手段６０は、図７に示すように、貨幣処理装置４４、商品選択ボタン４３、庫内温度センサ４７、入力手段５０から出力された信号が与えられた場合、予めメモリ６１に格納してあるプログラムやデータに従ってスパイラル駆動部３７、バケット駆動部３９（商品搬送装置３４）、一体表示器４５、冷却ユニット４６等の動作を制御するもので、入力制御部６０ａ、出力制御部６０ｂ、販売管理制御部６０ｃ及びヘルスコード管理制御部６０ｄを有している。
【００５５】
入力制御部６０ａは、自動販売機を構成する各部から出力された信号を入力処理するものである。出力制御部６０ｂは、自動販売機を構成する各部に対して指令を出力処理するものである。
【００５６】
販売管理制御部６０ｃは、商品の販売に関わる処理を統括的に制御するものである。より詳細には、入力手段５０の操作により商品収納コラム３５に対して商品選択ボタン４３及び販売価格が対応付けられた場合に、販売管理制御部６０ｃによって商品収納コラム３５の番号と商品選択ボタン４３と販売価格とが互いに対応付けられてメモリ６１に格納されることになる。
【００５７】
また、販売管理制御部６０ｃは、貨幣処理装置４４に貨幣が投入された場合、投入貨幣が販売価格以上となった時点で該当する商品選択ボタン４３を有効化する。有効化した商品選択ボタン４３が押圧操作された場合、販売管理制御部６０ｃは、バケット駆動部３９を駆動させて該当する商品収納コラム３５を有する商品ラック３３の前方にバケット３８を移動させ、当該商品収納コラム３５のスパイラル駆動部３７を駆動させることでバケット３８に商品を一つ払い出す動作を行う。そして、バケット３８が払い出された商品を受容すると、再びバケット駆動部３９を駆動させてバケット３８を所定の下限位置まで移動させ、バケット３８が水平姿勢から傾斜姿勢に変化して受容した商品を商品取出部４０に払い出すことで商品の搬送を行う。
【００５８】
ヘルスコード管理制御部６０ｄは、ヘルスコード対象商品についての販売に関わる処理を制御するものである。より詳細には、商品収容庫３２の庫内温度が管理上限温度を超える連続時間が設定時間を経過する場合に、ヘルスコート管理制御部は、ヘルスコード対象商品が決められた温度を超えているものとして当該ヘルスコード対象商品の販売を禁止するものである。ここで管理上限温度や設定時間は、ヘルスコード対象商品の特性に応じて予め決められている。
【００５９】
また、ヘルスコード管理制御部６０ｄは、入力手段５０の解除ボタン５０ａが押下操作されることで解除指令が与えられ、かつ販売禁止にしたヘルスコード対象商品を収納する商品収納コラム３５の商品残数が零となる場合に、該ヘルスコード対象商品の販売禁止を解除するものである。ここで、商品残数は、メモリ６１に記憶される各商品収納コラム３５の収納商品数から販売等で払い出される販売商品数を減算して求められるもので、販売管理制御部６０ｃの販売によりその都度更新されてメモリ６１に記憶されるものである。
【００６０】
図８は、上述した制御手段６０が実施するヘルスコード管理制御処理の処理内容を示すフローチャートである。このヘルスコード管理制御処理の処理内容を説明しながら、本実施の形態２である自動販売機の制御装置の動作について説明する。
【００６１】
制御手段６０は、ヘルスコード対象商品を販売禁止にしていない状態でヘルスコード対象商品が販売禁止条件に合致した場合（ステップＳ２０１：Ｎｏ，ステップＳ２０２：Ｙｅｓ）、ヘルスコード管理制御部６０ｄを通じて該当するヘルスコード対象商品の販売を禁止にする（ステップＳ２０３）。ここで、ヘルスコード対象商品が販売禁止条件に合致する場合としては、商品収容庫３２の庫内温度、すなわち入力制御部６０ａを通じて入力処理された当該商品収容庫３２の庫内温度センサ４７の検知温度が管理上限温度を超えており、その管理上限温度を超える連続時間が設定時間を経過するときが該当する。
【００６２】
ヘルスコード対象商品を販売禁止にした制御手段６０は、入力手段５０の解除ボタン５０ａが押下操作されることで入力制御部６０ａを通じて解除指令が入力処理される場合（ステップＳ２０４：Ｙｅｓ）、販売禁止状態を維持しながら該当する商品収納コラム３５の商品残数が零であるかの判断待ちとなる（ステップＳ２０５）。
【００６３】
その後、メモリ６１に記憶されている商品残数を参照して商品残数が零である場合（ステップＳ２０６：Ｙｅｓ）、制御手段６０は、ヘルスコード管理制御部６０ｄを通じて当該ヘルスコード対象商品の販売禁止を解除し（ステップＳ２０７）、その後に手順をリターンさせて今回の処理を終了する。
【００６４】
一方、メモリ６１に記憶されている商品残数が零でない場合（ステップＳ２０６：Ｎｏ）、制御手段６０は、入力手段５０を通じての商品払い出しの指令待ち状態となる。そして、制御手段６０は、商品払い出しの指令が与えられて入力処理部を通じて入力処理する場合（ステップＳ２０８：Ｙｅｓ）、販売管理制御部６０ｃを通じてバケット駆動部３９を駆動させるとともに該当商品収納コラム３５のスパイラル駆動部３７を駆動させることで、ヘルスコード対象商品の払い出しを行う（ステップＳ２０９）。
【００６５】
ヘルスコード対象商品の払い出しを行った制御手段６０は、払い出した商品の分の減算を行って（ステップＳ２１０）、手順をステップＳ２０６に移行し、上述したステップＳ２０６〜ステップＳ２１０の処理を繰り返す。
【００６６】
このようなヘルスコード管理制御処理を行うことにより、当該商品収納コラム３５に、新たなヘルスコード対象商品や通常商品を収納させることができる。
【００６７】
以上説明したような本実施の形態２の制御装置においては、制御手段６０が、ヘルスコード対象商品の販売が禁止された場合に、その販売禁止を解除する旨の解除指令が与えられただけでは該ヘルスコード対象商品の販売禁止を解除しないで、該ヘルスコード対象商品の商品残数が零となるときにだけヘルスコード対象商品の販売禁止を解除するので、オペレータがヘルスコード対象商品を取り忘れた場合、オペレータが誤って解除ボタン５０ａを押下操作した場合、解除ボタン５０ａの故障等により解除ボタン５０ａが押された状態になっている場合等においてもヘルスコード対象商品を誤って販売してしまう虞れがない。従って、本発明の実施の形態２である制御装置によれば、決められた温度を超えると提供が禁止されるヘルスコード対象商品が販売禁止となった場合に、かかるヘルスコード対象商品を販売してしまうことを防止することができる。
【産業上の利用可能性】
【００６８】
以上のように、本発明に係る自動販売機の制御装置は、決められた温度を超えると提供が禁止される特定商品を販売する自動販売機に有用である。
【符号の説明】
【００６９】
１  本体キャビネット
２  商品収容庫
３  商品収納ラック
５  ベンドメック
６  売切センサ（売切検出手段）
７  商品選択ボタン
８  売切ランプ
９  貨幣処理装置
１０  一体表示器
１１  冷却ユニット
１２  庫内温度センサ
１７  入力手段
１７ａ  解除ボタン
２０  制御手段
２０ａ  入力制御部
２０ｂ  出力制御部
２０ｃ  販売管理制御部
２０ｄ  ヘルスコード管理制御部
２１  メモリ
【図１】
0005884387.tif 000002
【図２】
0005884387.tif 000003
【図３】
0005884387.tif 000004
【図４】
0005884387.tif 000005
【図５】
0005884387.tif 000006
【図６】
0005884387.tif 000007
【図７】
0005884387.tif 000008
【図８】
0005884387.tif 000009